【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
第一の色再現範囲において入力データが示す色を第二の色再現範囲の色に色変換する処理を行う画像処理装置であって、
前記第一の色再現範囲内において、入力されると想定される色の第三の色再現範囲を規定する第一の色再現規定手段と、
前記第二の色再現範囲内において、前記第三の色再現範囲の色を圧縮する先となる色再現範囲であって、前記第二の色再現範囲より小さい第四の色再現範囲を規定する第二の色再現規定手段と、
前記第一の色再現範囲の色を前記第二の色再現範囲に色変換する際に、圧縮関係に基づき前記第三の色再現範囲の色を前記第四の色再現範囲の色に圧縮する圧縮手段と、
前記入力データのデータ源の種類を判断する判断手段と、
該判断手段が判断したデータ源の種類に応じて、前記第三の色再現範囲、前記第四の色再現範囲および前記圧縮関係の少なくとも１つを変更する変更手段と、
有したことを特徴とする画像処理装置。
【請求項２】
ルックアップテーブルを用いて、第一の色再現範囲において入力データが示す色を第二の色再現範囲の色に色変換する処理を行う画像処理装置であって、
前記第一の色再現範囲内において、入力されると想定される色の第三の色再現範囲が規定され、また、前記第二の色再現範囲内において、前記第三の色再現範囲の色を圧縮する先となる色再現範囲であって、前記第二の色再現範囲より小さい第四の色再現範囲が規定されており、前記第一の色再現範囲の色を前記第二の色再現範囲に色変換する際に、前記第三の色再現範囲の色を前記第四の色再現範囲の色に圧縮する圧縮関係を有したルックアップテーブルであって、前記データ源の種類に応じて、前記第三の色再現範囲、前記第四の色再現範囲および前記圧縮関係の少なくとも１つが異なる複数のルックアップテーブルと、
前記入力データのデータ源の種類を判断する判断手段と、
該判別手段が判別したデータ源の種類に対応したルックアップテーブルを選択し設定する設定手段と、
該設定手段によって設定されたルックアップテーブルを用いて、前記第一の色再現範囲において入力データが示す色を前記第二の色再現範囲の色に色変換する変換手段と、
有したことを特徴とする画像処理装置。
【請求項３】
第一の色再現範囲において入力データが示す色を第二の色再現範囲の色に色変換する処理を行う画像処理装置であって、
前記第一の色再現範囲内において、入力されると想定される色の第三の色再現範囲を規定する第一の色再現規定手段と、
前記第二の色再現範囲内において、前記第三の色再現範囲の色を圧縮する先となる色再現範囲であって、前記第二の色再現範囲より小さい第四の色再現範囲を規定する第二の色再現規定手段と、
前記第一の色再現範囲の色を前記第二の色再現範囲に色変換する際に、圧縮関係に基づき前記第三の色再現範囲の色を前記第四の色再現範囲の色に圧縮する圧縮手段と、
前記入力データのデータ源の種類を判断する判断手段と、
該判断手段が判断したデータ源の種類に応じて、前記第三の色再現範囲を変更する変更手段と、
有したことを特徴とする画像処理装置。
【請求項４】
ルックアップテーブルを用いて、第一の色再現範囲において入力データが示す色を第二の色再現範囲の色に色変換する処理を行う画像処理装置であって、
前記第一の色再現範囲内において、入力されると想定される色の第三の色再現範囲が規定され、また、前記第二の色再現範囲内において、前記第三の色再現範囲の色を圧縮する先となる色再現範囲であって、前記第二の色再現範囲より小さい第四の色再現範囲が規定されており、前記第一の色再現範囲の色を前記第二の色再現範囲に色変換する際に、前記第三の色再現範囲の色を前記第四の色再現範囲の色に圧縮する圧縮関係を有したルックアップテーブルであって、前記データ源の種類に応じて前記第三の色再現範囲が異なる複数のルックアップテーブルと、
前記入力データのデータ源の種類を判断する判断手段と、
該判別手段が判別したデータ源の種類に対応したルックアップテーブルを選択し設定する設定手段と、
該設定手段によって設定されたルックアップテーブルを用いて、前記第一の色再現範囲において入力データが示す色を前記第二の色再現範囲の色に色変換する変換手段と、
有したことを特徴とする画像処理装置。
【請求項５】
前記第二の色再現範囲内において、測色的に近似した色再現をするため色再現範囲であって、前記第四の色再現範囲より小さい第五の色再現範囲を規定する手段をさらに有し、前記圧縮手段は、前記第一の色再現範囲の色を前記第二の色再現範囲の色に色変換する際に、前記第五の色再現範囲内の色は測色的に近似するように色変換し、前記第三の色再現範囲の色は前記第五の色再現範囲外の前記第四の色再現範囲の色に圧縮することを特徴とする請求項１ないし４のいずれかに記載の画像処理装置。
【請求項６】
前記第三の色再現範囲は、前記第二の色再現範囲の形状と大きさに基づいて規定することを特徴とする請求項１ないし５のいずれかに記載の画像処理装置。
【請求項７】
前記第三の色再現範囲は、出力デバイスが持つ前記第二の色再現範囲の大きさに応じた大きさで規定することを特徴とする請求項１ないし６のいずれかに記載の画像処理装置。
【請求項８】
前記第一と第二の色再現範囲は、色変換に適した形状に変形されていることを特徴とする請求項１ないし７のいずれかに記載の画像処理装置。
【請求項９】
前記前記第四の色再現範囲は、圧縮先の点と前記第一の色再現範囲における圧縮対象の点を結ぶ直線と前記第二の色再現範囲の最外殻が交わる交点を求め、前記圧縮先の点と前記交点までの距離に基づいた割合に基づいて規定することを特徴とする請求項１ないし８のいずれかに記載の画像処理装置。
【請求項１０】
前記割合は色相ごとに可変であることを特徴とする請求項９に記載の画像処理装置。
【請求項１１】
前記前記第四の色再現範囲は、一部もしくは全体が前記第二の色再現範囲に相似な形状であることを特徴とする請求項１ないし１０のいずれかに記載の画像処理装置。
【請求項１２】
前記第一の色再現範囲は、デバイスに非依存な色空間であり、前記第二の色再現範囲は、出力デバイスの色再現範囲であることを特徴とする請求項１ないし１１のいずれかに記載の画像処理装置。
【請求項１３】
処理の種類の設定を行うための処理種類設定手段をさらに有し、前記判断手段は、前記処理種類設定手段の設定結果に関連して判断を行うことを特徴とする請求項１ないし１２のいずれかに記載の画像処理装置。
【請求項１４】
第一の色再現範囲において入力データが示す色を第二の色再現範囲の色に色変換する処理を行うための画像処理方法であって、
前記第一の色再現範囲内において、入力されると想定される色の第三の色再現範囲を規定する第一の色再現規定工程と、
前記第二の色再現範囲内において、前記第三の色再現範囲の色を圧縮する先となる色再現範囲であって、前記第二の色再現範囲より小さい第四の色再現範囲を規定する第二の色再現規定工程と、
前記第一の色再現範囲の色を前記第二の色再現範囲に色変換する際に、圧縮関係に基づき前記第三の色再現範囲の色を前記第四の色再現範囲の色に圧縮する圧縮工程と、
前記入力データのデータ源の種類を判断する判断工程と、
該判断工程が判断したデータ源の種類に応じて、前記第三の色再現範囲、前記第四の色再現範囲および前記圧縮関係の少なくとも１つを変更する変更工程と、
有したことを特徴とする画像処理方法。
【請求項１５】
ルックアップテーブルを用いて、第一の色再現範囲において入力データが示す色を第二の色再現範囲の色に色変換する処理を行う画像処理方法であって、
前記第一の色再現範囲内において、入力されると想定される色の第三の色再現範囲が規定され、また、前記第二の色再現範囲内において、前記第三の色再現範囲の色を圧縮する先となる色再現範囲であって、前記第二の色再現範囲より小さい第四の色再現範囲が規定されており、前記第一の色再現範囲の色を前記第二の色再現範囲に色変換する際に、前記第三の色再現範囲の色を前記第四の色再現範囲の色に圧縮する圧縮関係を有したルックアップテーブルであって、前記データ源の種類に応じて、前記第三の色再現範囲、前記第四の色再現範囲および前記圧縮関係の少なくとも１つが異なる複数のルックアップテーブルと、
前記入力データのデータ源の種類を判断する判断工程と、
該判別工程が判別したデータ源の種類に対応したルックアップテーブルを選択し設定する設定工程と、
該設定工程によって設定されたルックアップテーブルを用いて、前記第一の色再現範囲において入力データが示す色を前記第二の色再現範囲の色に色変換する変換工程と、
有したことを特徴とする画像処理方法。
【請求項１６】
第一の色再現範囲において入力データが示す色を第二の色再現範囲の色に色変換する処理を行う画像処理方法であって、
前記第一の色再現範囲内において、入力されると想定される色の第三の色再現範囲を規定する第一の色再現規定工程と、
前記第二の色再現範囲内において、前記第三の色再現範囲の色を圧縮する先となる色再現範囲であって、前記第二の色再現範囲より小さい第四の色再現範囲を規定する第二の色再現規定工程と、
前記第一の色再現範囲の色を前記第二の色再現範囲に色変換する際に、圧縮関係に基づき前記第三の色再現範囲の色を前記第四の色再現範囲の色に圧縮する圧縮工程と、
前記入力データのデータ源の種類を判断する判断工程と、
該判断工程が判断したデータ源の種類に応じて、前記第三の色再現範囲を変更する変更工程と、
有したことを特徴とする画像処理方法。
【請求項１７】
ルックアップテーブルを用いて、第一の色再現範囲において入力データが示す色を第二の色再現範囲の色に色変換する処理を行う画像処理方法であって、
前記第一の色再現範囲内において、入力されると想定される色の第三の色再現範囲が規定され、また、前記第二の色再現範囲内において、前記第三の色再現範囲の色を圧縮する先となる色再現範囲であって、前記第二の色再現範囲より小さい第四の色再現範囲が規定されており、前記第一の色再現範囲の色を前記第二の色再現範囲に色変換する際に、前記第三の色再現範囲の色を前記第四の色再現範囲の色に圧縮する圧縮関係を有したルックアップテーブルであって、前記データ源の種類に応じて前記第三の色再現範囲が異なる複数のルックアップテーブルと、
前記入力データのデータ源の種類を判断する判断工程と、
該判別工程が判別したデータ源の種類に対応したルックアップテーブルを選択し設定する設定工程と、
該設定工程によって設定されたルックアップテーブルを用いて、前記第一の色再現範囲において入力データが示す色を前記第二の色再現範囲の色に色変換する変換工程と、
有したことを特徴とする画像処理方法。
【請求項１８】
コンピュータが読取ることにより、該コンピュータを、第一の色再現範囲において入力データが示す色を第二の色再現範囲の色に色変換する処理を行う画像処理装置として機能させるプログラムであって、前記機能は、
前記第一の色再現範囲内において、入力されると想定される色の第三の色再現範囲を規定する第一の色再現規定手段と、
前記第二の色再現範囲内において、前記第三の色再現範囲の色を圧縮する先となる色再現範囲であって、前記第二の色再現範囲より小さい第四の色再現範囲を規定する第二の色再現規定手段と、
前記第一の色再現範囲の色を前記第二の色再現範囲に色変換する際に、圧縮関係に基づき前記第三の色再現範囲の色を前記第四の色再現範囲の色に圧縮する圧縮手段と、
前記入力データのデータ源の種類を判断する判断手段と、
該判断手段が判断したデータ源の種類に応じて、前記第三の色再現範囲、前記第四の色再現範囲および前記圧縮関係の少なくとも１つを変更する変更手段と、
有したことを特徴とするプログラム。
【請求項１９】
コンピュータが読取ることにより、該コンピュータを、ルックアップテーブルを用いて、第一の色再現範囲において入力データが示す色を第二の色再現範囲の色に色変換する処理を行う画像処理装置として機能させるプログラムであって、前記機能は、
前記第一の色再現範囲内において、入力されると想定される色の第三の色再現範囲が規定され、また、前記第二の色再現範囲内において、前記第三の色再現範囲の色を圧縮する先となる色再現範囲であって、前記第二の色再現範囲より小さい第四の色再現範囲が規定されており、前記第一の色再現範囲の色を前記第二の色再現範囲に色変換する際に、前記第三の色再現範囲の色を前記第四の色再現範囲の色に圧縮する圧縮関係を有したルックアップテーブルであって、前記データ源の種類に応じて、前記第三の色再現範囲、前記第四の色再現範囲および前記圧縮関係の少なくとも１つが異なる複数のルックアップテーブルと、
前記入力データのデータ源の種類を判断する判断手段と、
該判別手段が判別したデータ源の種類に対応したルックアップテーブルを選択し設定する設定手段と、
該設定手段によって設定されたルックアップテーブルを用いて、前記第一の色再現範囲において入力データが示す色を前記第二の色再現範囲の色に色変換する変換手段と、
有したことを特徴とするプログラム。
【請求項２０】
コンピュータが読取ることにより、該コンピュータを、第一の色再現範囲において入力データが示す色を第二の色再現範囲の色に色変換する処理を行う画像処理装置として機能させるプログラムであって、前記機能は、
前記第一の色再現範囲内において、入力されると想定される色の第三の色再現範囲を規定する第一の色再現規定手段と、
前記第二の色再現範囲内において、前記第三の色再現範囲の色を圧縮する先となる色再現範囲であって、前記第二の色再現範囲より小さい第四の色再現範囲を規定する第二の色再現規定手段と、
前記第一の色再現範囲の色を前記第二の色再現範囲に色変換する際に、圧縮関係に基づき前記第三の色再現範囲の色を前記第四の色再現範囲の色に圧縮する圧縮手段と、
前記入力データのデータ源の種類を判断する判断手段と、
該判断手段が判断したデータ源の種類に応じて、前記第三の色再現範囲を変更する変更手段と、
有したことを特徴とするプログラム。
【請求項２１】
コンピュータが読取ることにより、該コンピュータを、ルックアップテーブルを用いて、第一の色再現範囲において入力データが示す色を第二の色再現範囲の色に色変換する処理を行う画像処理装置として機能させるプログラムであって、前記機能は、
前記第一の色再現範囲内において、入力されると想定される色の第三の色再現範囲が規定され、また、前記第二の色再現範囲内において、前記第三の色再現範囲の色を圧縮する先となる色再現範囲であって、前記第二の色再現範囲より小さい第四の色再現範囲が規定されており、前記第一の色再現範囲の色を前記第二の色再現範囲に色変換する際に、前記第三の色再現範囲の色を前記第四の色再現範囲の色に圧縮する圧縮関係を有したルックアップテーブルであって、前記データ源の種類に応じて前記第三の色再現範囲が異なる複数のルックアップテーブルと、
前記入力データのデータ源の種類を判断する判断手段と、
該判別手段が判別したデータ源の種類に対応したルックアップテーブルを選択し設定する設定手段と、
該設定手段によって設定されたルックアップテーブルを用いて、前記第一の色再現範囲において入力データが示す色を前記第二の色再現範囲の色に色変換する変換手段と、
有したことを特徴とするプログラム。